【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
印刷注文を遂行するためのワークフローを構成する各処理工程のスケジュールを管理する情報処理装置であって、
連続して実行すべき処理工程に同一のグループ属性が設定されたワークフロー設定ファイルを構成する複数の処理工程に含まれる第１処理工程のスケジュールを設定するスケジュール設定手段と、
前記スケジュール設定手段によりスケジュールが設定された前記第１処理工程のグループ属性と前記第１処理工程の次に実行すべき第２処理工程のグループ属性が同一か否かを判定する第１判定手段と
を備え、
前記第１判定手段によって前記第１処理工程と第２処理工程のグループ属性が同一であると判定された場合、前記スケジュール設定手段は、第１処理工程と第２処理工程とを連続時間で実行可能とするようにスケジュールを設定することを特徴とする情報処理装置。
【請求項２】
前記スケジュール設定手段が、前記第１処理工程と第２処理工程とを連続時間で実行可能とするようにスケジュールを設定できないと判定した場合、前記第１処理工程と第２処理工程とを連続時間で実行可能とするようにスケジュールを設定できない原因となる他の処理工程のスケジュールを変更できるか否かを判定する第２判定手段をさらに備え、
前記第２判定手段により前記他の処理工程のスケジュールを変更できると判定した場合、前記スケジュール設定手段は、前記他の処理工程のスケジュールを変更して、前記第１処理工程と第２処理工程とを連続時間で実行可能とするようにスケジュールを設定することを特徴とする請求項１に記載の情報処理装置。
【請求項３】
ユーザインターフェースを表示する手段をさらに備え、処理工程がスケジュール変更を受け付けるか否かが前記ユーザインターフェース上に表されることを特徴とする請求項２に記載の情報処理装置。
【請求項４】
印刷注文を遂行するためのワークフローを構成する各処理工程のスケジュールを管理するプログラムであって、
連続して実行すべき処理工程に同一のグループ属性が設定されたワークフロー設定ファイルを構成する複数の処理工程に含まれる第１処理工程のスケジュールを設定するステップと、
前記スケジュールを設定するステップにおいてスケジュールが設定された前記第１処理工程のグループ属性と前記第１処理工程の次に実行すべき第２処理工程のグループ属性が同一か否かを判定する第１判定ステップと
を備え、
前記第１判定ステップにおいて前記第１処理工程と第２処理工程のグループ属性が同一であると判定された場合、前記スケジュールを設定するステップは、第１処理工程と第２処理工程とを連続時間で実行可能とするようにスケジュールを設定することを特徴とするプログラム。
【請求項５】
前記スケジュールを設定するステップが、前記第１処理工程と第２処理工程とを連続時間で実行可能とするようにスケジュールを設定できないと判定した場合、前記第１処理工程と第２処理工程とを連続時間で実行可能とするようにスケジュールを設定できない原因となる他の処理工程のスケジュールを変更できるか否かを判定する第２判定ステップをさらに備え、
前記第２判定ステップにおいて前記他の処理工程のスケジュールを変更できると判定した場合、前記スケジュールを設定するステップは、前記他の処理工程のスケジュールを変更して、前記第１処理工程と第２処理工程とを連続時間で実行可能とするようにスケジュールを設定することを特徴とする請求項４に記載のプログラム。
【請求項６】
ユーザインターフェースを表示するステップをさらに備え、処理工程がスケジュール変更を受け付けるか否かが前記ユーザインターフェース上に表されることを特徴とする請求項５に記載のプログラム。
【請求項７】
情報処理装置において実施される、印刷注文を遂行するためのワークフローを構成する各処理工程のスケジュールを管理する方法であって、
連続して実行すべき処理工程に同一のグループ属性が設定されたワークフロー設定ファイルを構成する複数の処理工程に含まれる第１処理工程のスケジュールを設定するステップと、
前記スケジュールを設定するステップにおいてスケジュールが設定された前記第１処理工程のグループ属性と前記第１処理工程の次に実行すべき第２処理工程のグループ属性が同一か否かを判定する第１判定ステップと
を備え、
前記第１判定ステップにおいて前記第１処理工程と第２処理工程のグループ属性が同一であると判定された場合、前記スケジュールを設定するステップは、第１処理工程と第２処理工程とを連続時間で実行可能とするようにスケジュールを設定することを特徴とする方法。
【手続補正２】
【補正対象書類名】明細書
【補正対象項目名】００１１
【補正方法】変更
【補正の内容】
【００１１】
本発明は上記の課題を解決することを目的とし、請求項１に記載の情報処理装置は、印刷注文を遂行するためのワークフローを構成する各処理工程のスケジュールを管理する情報処理装置であって、連続して実行すべき処理工程に同一のグループ属性が設定されたワークフロー設定ファイルを構成する複数の処理工程に含まれる第１処理工程のスケジュールを設定するスケジュール設定手段と、スケジュール設定手段によりスケジュールが設定された第１処理工程のグループ属性と第１処理工程の次に実行すべき第２処理工程のグループ属性が同一か否かを判定する第１判定手段とを備え、第１判定手段によって第１処理工程と第２処理工程のグループ属性が同一であると判定された場合、スケジュール設定手段は、第１処理工程と第２処理工程とを連続時間で実行可能とするようにスケジュールを設定することを特徴とする。
【手続補正３】
【補正対象書類名】明細書
【補正対象項目名】００１２
【補正方法】変更
【補正の内容】
【００１２】
請求項２に記載の発明は、請求項１に記載の情報処理装置において、スケジュール設定手段が、第１処理工程と第２処理工程とを連続時間で実行可能とするようにスケジュールを設定できないと判定した場合、第１処理工程と第２処理工程とを連続時間で実行可能とするようにスケジュールを設定できない原因となる他の処理工程のスケジュールを変更できるか否かを判定する第２判定手段をさらに備え、第２判定手段により他の処理工程のスケジュールを変更できると判定した場合、スケジュール設定手段は、他の処理工程のスケジュールを変更して、第１処理工程と第２処理工程とを連続時間で実行可能とするようにスケジュールを設定することを特徴とする。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
請求項３に記載の発明は、請求項２に記載の情報処理装置において、ユーザインターフェースを表示する手段をさらに備え、処理工程がスケジュール変更を受け付けるか否かがユーザインターフェース上に表されることを特徴とする。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
請求項４に記載のプログラムは、印刷注文を遂行するためのワークフローを構成する各処理工程のスケジュールを管理するプログラムであって、連続して実行すべき処理工程に同一のグループ属性が設定されたワークフロー設定ファイルを構成する複数の処理工程に含まれる第１処理工程のスケジュールを設定するステップと、スケジュールを設定するステップにおいてスケジュールが設定された第１処理工程のグループ属性と第１処理工程の次に実行すべき第２処理工程のグループ属性が同一か否かを判定する第１判定ステップとを備え、第１判定ステップにおいて第１処理工程と第２処理工程のグループ属性が同一であると判定された場合、スケジュールを設定するステップは、第１処理工程と第２処理工程とを連続時間で実行可能とするようにスケジュールを設定することを特徴とする。
【手続補正１０】
【補正対象書類名】明細書
【補正対象項目名】００１９
【補正方法】変更
【補正の内容】
【００１９】
請求項５に記載の発明は、請求項１に記載の情報処理装置において、スケジュールを設定するステップが、第１処理工程と第２処理工程とを連続時間で実行可能とするようにスケジュールを設定できないと判定した場合、第１処理工程と第２処理工程とを連続時間で実行可能とするようにスケジュールを設定できない原因となる他の処理工程のスケジュールを変更できるか否かを判定する第２判定ステップをさらに備え、第２判定ステップにおいて他の処理工程のスケジュールを変更できると判定した場合、スケジュールを設定するステップは、他の処理工程のスケジュールを変更して、第１処理工程と第２処理工程とを連続時間で実行可能とするようにスケジュールを設定することを特徴とする。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】変更
【補正の内容】
【００２１】
請求項６に記載の発明は、請求項５に記載のプログラムにおいて、ユーザインターフェースを表示するステップをさらに備え、処理工程がスケジュール変更を受け付けるか否かがユーザインターフェース上に表されることを特徴とする。
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】変更
【補正の内容】
【００２５】
請求項７に記載の方法は、情報処理装置において実施される、印刷注文を遂行するためのワークフローを構成する各処理工程のスケジュールを管理する方法であって、連続して実行すべき処理工程に同一のグループ属性が設定されたワークフロー設定ファイルを構成する複数の処理工程に含まれる第１処理工程のスケジュールを設定するステップと、スケジュールを設定するステップにおいてスケジュールが設定された第１処理工程のグループ属性と第１処理工程の次に実行すべき第２処理工程のグループ属性が同一か否かを判定する第１判定ステップとを備え、第１判定ステップにおいて第１処理工程と第２処理工程のグループ属性が同一であると判定された場合、スケジュールを設定するステップは、第１処理工程と第２処理工程とを連続時間で実行可能とするようにスケジュールを設定することを特徴とする。